(57)【要約】【課題】不適正な印刷用紙による印刷を防止すると共に印刷に対する新たな課金処理方法を提供する。【解決手段】プリンタ２０に取り付けられた情報取得装置５０により印刷するために搬送された印刷用紙７０に埋め込まれた記憶素子８０から所定の識別情報を読み込み、読み込んだ所定の識別情報が適正な情報であるときにだけ印刷処理を実行し、所定の識別情報を読み込むことができないときや読み込んだ所定の識別情報が適正な情報ではないときには印刷用紙７０を排出して印刷処理は実行しない。これにより、不適正な印刷用紙による印刷を防止することができる。記憶素子８０に所定の識別情報を記憶させた印刷用紙７０を店舗に設置したプリンタ２０による印刷に対する料金を含ませて販売することにより、印刷用紙７０の販売管理を行なうだけで印刷に対する課金管理をも行なうことができる。【選択図】　　　　図１
2004142188.tif 000002
【特許請求の範囲】
【請求項１】
文字，記号，画像などの印刷対象を印刷用紙に印刷する印刷装置であって、
用紙セット位置にセットされた印刷用紙を印刷のために搬送する搬送手段と、
該搬送手段により印刷用紙が搬送される際に、該印刷用紙の記憶素子から所定の識別情報を取得可能な識別情報取得手段と、
該識別情報取得手段による前記所定の識別情報の取得の有無に基づいて前記印刷用紙への印刷を実行する印刷実行手段と、
を備える印刷装置。
【請求項２】
前記印刷実行手段は、前記識別情報取得手段により前記所定の識別情報が取得されたときには前記搬送される印刷用紙への印刷を実行し、前記識別情報取得手段により前記所定の識別情報が取得されないときには前記搬送される印刷用紙への印刷を拒否する手段である請求項１記載の印刷装置。
【請求項３】
前記識別情報取得手段により前記所定の識別情報が取得されないとき、前記印刷用紙への印刷の拒否を出力する印刷拒否出力手段を備える請求項１または２記載の印刷装置。
【請求項４】
請求項１ないし３いずれか記載の印刷装置であって、
前記印刷用紙は、前記記憶素子が所定の位置に配置されてなり、
前記識別情報取得手段は、前記搬送手段により前記印刷用紙が所定量搬送されたときに前記所定の識別情報の取得を行なう手段である
印刷装置。
【請求項５】
請求項１ないし４いずれか記載の印刷装置であって、
前記記憶素子は、前記所定の識別情報を記憶する記憶部と、第１の送信波を受信する受信部と、第２の送信波を送信する送信部と、前記第１の送信波を受信したときに前記記憶部に記憶された所定の識別情報が前記第２の送信波を用いて前記送信部から送信されるよう制御する制御部とを備える素子であり、
前記識別情報取得手段は、前記第１の送信波を送信する送信部と、前記第２の送信波を受信する受信部と、該受信した前記第２の送信波から前記所定の識別情報を解析する解析部とを備える手段である
印刷装置。
【請求項６】
前記記憶素子は、０．２ｍｍ以下の厚さに形成されてなる請求項１ないし５いずれか記載の印刷装置。
【請求項７】
前記記憶素子は、縦横０．５ｍｍ以下の矩形形状に形成されてなる請求項１ないし６いずれか記載の印刷装置。
【請求項８】
前記記憶素子は、用紙表面と用紙表面にコーティングされるコーティング材との間に配置されてなる請求項１ないし７いずれか記載の印刷装置。
【請求項９】
文字，記号，画像などの印刷対象を印刷用紙に印刷する印刷装置の制御方法であって、
（ａ）用紙セット位置にセットされた印刷用紙を印刷のために搬送する際に、該印刷用紙の記憶素子に所定の識別情報が記憶されているか否かを判定し、
（ｂ）前記印刷用紙の記憶素子に前記所定の識別情報が記憶されているときには該印刷用紙への印刷を実行し、前記印刷用紙の記憶素子に前記所定の識別情報が記憶されていないときには該印刷用紙への印刷が拒否されるよう制御する
印刷装置の制御方法。
【請求項１０】
印刷に用いられる印刷用紙であって、
所定の厚さの薄膜状に形成され、用紙の表面または内部に配置され、所定の識別情報を記憶した記憶素子
を備える印刷用紙。
【請求項１１】
前記記憶素子を用紙の所定位置に配置してなる請求項１０記載の印刷用紙。
【請求項１２】
前記記憶素子を用紙表面の右下および／または左上に配置してなる請求項１１記載の印刷用紙。
【請求項１３】
前記記憶素子を用紙表面にランダムに配置してなる請求項１０記載の印刷用紙。
【請求項１４】
前記記憶素子を用紙表面と用紙表面にコーティングされるコーティング材との間に配置してなる請求項１０ないし１３いずれか記載の印刷用紙。
【発明の詳細な説明】
【０００１】
【発明の属する技術分野】
本発明は、印刷装置およびこれに用いる印刷用紙に関する。
【０００２】
【従来の技術】
従来、この種の印刷装置としては、印刷用紙に記された識別コードに基づいてこの印刷用紙への印刷を実行するものが提案されている（例えば、特許文献１参照）。この装置では、印刷の際に、印刷用紙の裏面や縁にコード化して記録された情報を読み取り、読み込んだ情報が予め記憶した販売店の情報と一致しないときや、読み込んだ情報により印刷用紙が使用期限を経過しているときには警報を発すると共にプリントを不許可にする。これにより、規格外の印刷用紙や使用期限を経過した印刷用紙への印刷を防止している。
【０００３】
【特許文献１】
特開２０００−１２７５５１号公報（図２、図５、図１０）
【０００４】
【発明が解決しようとする課題】
しかしながら、こうした識別コードを記録した印刷用紙では、識別コードを施した部分に有効な印刷を行なうことができない。画像を印刷する場合、特に縁なし印刷を行なう場合には、用紙の識別コードは画質を損なうものとなる。識別コードを用紙の裏面に記録したものでは、印刷用紙の両面に印刷する場合には同様に適用することができない。
【０００５】
ところで、多くのコンビニエンスストアなどの店舗には、コイン投入機と連動する複写機が設置されており、コイン投入機にコインを投入することにより複写機を使用することができるようになっている。こうした複写機の使用は便利ではあるが、コイン投入機を併設する必要があり、その管理も必要となる。
【０００６】
本発明の印刷装置およびその制御方法は、不適正な印刷用紙による印刷を防止することを目的の一つとする。また、本発明の印刷装置およびその制御方法は、印刷に対する新たな課金処理方法を実現することを目的の一つとする。本発明の印刷用紙は、情報の記録に伴って印刷面を損なうことを防止することを目的の一つとする。また、本発明の印刷用紙は、印刷に対する新たな課金処理方法の実現に資することを目的の一つとする。
【０００７】
【課題を解決するための手段およびその作用・効果】
本発明の印刷装置およびその制御方法並びに印刷装置に用いる印刷用紙は、上述の目的の少なくとも一部を達成するために以下の手段を採った。
【０００８】
本発明の印刷装置は、
文字，記号，画像などの印刷対象を印刷用紙に印刷する印刷装置であって、
用紙セット位置にセットされた印刷用紙を印刷のために搬送する搬送手段と、
該搬送手段により印刷用紙が搬送される際に、該印刷用紙の記憶素子から所定の識別情報を取得可能な識別情報取得手段と、
該識別情報取得手段による前記所定の識別情報の取得の有無に基づいて前記印刷用紙への印刷を実行する印刷実行手段と、
を備えること要旨とする。
【０００９】
この本発明の印刷装置では、搬送手段により印刷用紙が搬送される際に、印刷用紙の記憶素子から所定の識別情報が取得できたか否かに基づいて印刷用紙への印刷を実行する。この結果、不適正な印刷用紙による印刷を防止することができる。なお、記憶素子は、その大きさにもよるが、印刷用紙に埋め込むものとすれば、所定の識別情報の記録によって画像などの印刷を損なうことがない。
【００１０】
こうした本発明の印刷装置において、前記印刷実行手段は、前記識別情報取得手段により前記所定の識別情報が取得されたときには前記搬送される印刷用紙への印刷を実行し、前記識別情報取得手段により前記所定の識別情報が取得されないときには前記搬送される印刷用紙への印刷を拒否する手段であるものとすることもできる。こうすれば、所定の識別情報が取得されたときだけ印刷を実行するから、所定の識別情報を記憶させた印刷用紙の定価に印刷装置による印刷に対する料金を含ませて販売することにより、その印刷用紙を用いて印刷装置で印刷の際には料金を徴収する必要がなく、印刷装置による課金処理を印刷用紙の販売の管理に含めることができる。この結果、印刷装置による印刷に対する料金を徴収するためのコイン投入機などの機器を印刷装置に併設する必要がない。
【００１１】
また、本発明の印刷装置において、前記識別情報取得手段により前記所定の識別情報が取得されないとき、前記印刷用紙への印刷の拒否を出力する印刷拒否出力手段を備えるものとすることもできる。こうすれば、不適正な印刷用紙によって印刷されようとしたことを知らせることができる。
【００１２】
さらに、本発明の印刷装置において、前記印刷用紙は前記記憶素子が所定の位置に配置されてなり、前記識別情報取得手段は前記搬送手段により前記印刷用紙が所定量搬送されたときに前記所定の識別情報の取得を行なう手段であるものとすることもできる。こうすれば、所定の識別情報の取得をより確実に行なうことができる。
【００１３】
本発明の印刷装置において、前記記憶素子は、前記所定の識別情報を記憶する記憶部と、第１の送信波を受信する受信部と、第２の送信波を送信する送信部と、前記第１の送信波を受信したときに前記記憶部に記憶された所定の識別情報が前記第２の送信波を用いて前記送信部から送信されるよう制御する制御部とを備える素子であり、前記識別情報取得手段は、前記第１の送信波を送信する送信部と、前記第２の送信波を受信する受信部と、該受信した前記第２の送信波から前記所定の識別情報を解析する解析部とを備える手段であるものとすることもできる。こうすれば、印刷装置から第１の送信波を送信することにより、記憶素子から第２の送信波を用いて送信される所定の識別情報を受信することができる。即ち、印刷用紙の記憶素子と接触することなく印刷用情報を取得することができる。
【００１４】
本発明の印刷装置において、前記記憶素子は、０．２ｍｍ以下の厚さに形成されてなるものとしたり、縦横０．５ｍｍ以下の矩形形状に形成されてなるものとすることもできる。また、前記記憶素子は、用紙表面と用紙表面にコーティングされるコーティング材との間に配置されてなるものとすることもできる。こうすれば、記憶素子の上にも印刷することができる。
【００１５】
本発明の印刷装置の制御方法は、
文字，記号，画像などの印刷対象を印刷用紙に印刷する印刷装置の制御方法であって、
（ａ）用紙セット位置にセットされた印刷用紙を印刷のために搬送する際に、該印刷用紙の記憶素子に所定の識別情報が記憶されているか否かを判定し、
（ｂ）前記印刷用紙の記憶素子に前記所定の識別情報が記憶されているときには該印刷用紙への印刷を実行し、前記印刷用紙の記憶素子に前記所定の識別情報が記憶されていないときには該印刷用紙への印刷が拒否されるよう制御する
ことを要旨とする。
【００１６】
この本発明の印刷装置の制御方法によれば、用紙セット位置にセットされた印刷用紙を印刷のために搬送する際に、印刷用紙の記憶素子に所定の識別情報が記憶されているか否かを判定し、印刷用紙の記憶素子に所定の識別情報が記憶されているときには印刷用紙への印刷を実行し、印刷用紙の記憶素子に所定の識別情報が記憶されていないときには印刷用紙への印刷が拒否するから、不適正な印刷用紙を用いての印刷を防止することができる。また、所定の識別情報を記憶させた印刷用紙の定価に印刷装置による印刷に対する料金を含ませて販売することにより、その印刷用紙を用いて印刷装置で印刷の際には料金を徴収する必要がなく、印刷装置による課金処理を印刷用紙の販売の管理に含めることができる。この結果、印刷装置による印刷に対する料金を徴収するためのコイン投入機などの機器を印刷装置に併設する必要がない。
【００１７】
本発明の印刷用紙は、
印刷に用いられる印刷用紙であって、
所定の厚さの薄膜状に形成され、用紙の表面または内部に配置され、所定の識別情報を記憶した記憶素子
を備えることを要旨とする。
【００１８】
この本発明の印刷用紙では、所定の厚さの薄膜状に形成され所定の識別情報を記憶した記憶素子が用紙の表面または内部に配置されるから、所定の識別情報を印刷用紙に持たせることができると共に情報の記録に伴って印刷面を損なうことを防止することができる。
【００１９】
こうした本発明の印刷用紙において、前記記憶素子を用紙の所定位置に配置してなるものとすることもできる。こうすれば、印刷用紙の所定位置に配置された記憶素子から印刷用情報を読み込むことができる。この態様の本発明の印刷用紙において、前記記憶素子を用紙表面の右下および／または左上に配置してなるものとすることもできる。
【００２０】
また、本発明の印刷用紙において、前記記憶素子を用紙表面にランダムに配置してなるものとすることもできる。こうすれば、ランダムな位置に配置された記憶素子から印刷用情報を読み込むことができる。
【００２１】
さらに、本発明の印刷用紙において、前記記憶素子を用紙表面と用紙表面にコーティングされるコーティング材との間に配置してなるものとすることもできる。こうすれば、記憶素子の上にも印刷することができる。
【００２２】
【発明の実施の形態】
次に、本発明の実施の形態を実施例を用いて説明する。図１は、本発明の一実施例である印刷装置としてのプリンタ２０の構成の概略を示す構成図である。実施例のプリンタ２０は、図示するように、コンピュータ１０に接続されており、コンピュータ１０で動作するアプリケーションプログラムなどにより印刷指示されオペレーションシステムに組み込まれたプリンタドライバでプリンタ２０で用いるインクの各色のデータに変換して転送された画像や文書などの印刷用データに基づいて画像や文書を印刷用紙７０に印刷する。
【００２３】
プリンタ２０は、図示するように、インクカートリッジ４６，４８が取り付けられガイド部材２８に案内されたキャリッジ２２を図中左右方向に移動させるキャリッジベルト３２とキャリッジモータ３４とから構成されるキャリッジ機構３０と、紙送りローラ３８などから構成され印刷用紙７０を図中前後方向に移動可能な紙送り機構３６と、印刷処理の休止中にキャリッジ２２の下部に取り付けられた印刷ヘッド２４のノズル開口部を封止するキャッピング装置４０と、印刷ヘッド２４の表面をブレードなどでワイピングすることにより印刷ヘッド２４の表面に付着したインク滓や紙粉を拭き取るワイピング装置４２と、印刷用紙の搬送部における左右隅のキャリッジ機構３０の後ろ側に取り付けられ搬送される印刷用紙に取り付けられた記憶素子８０から所定の識別情報を取得する二つの情報取得装置５０と、プリンタ２０全体をコントロールするコントローラ６０とを備える。
【００２４】
図２は、実施例のプリンタ２０と印刷用紙７０の記憶素子８０における電気的な接続関係を機能ブロックにより例示するブロック図である。二個の情報取得装置５０は同一の構成であるから、そのうちの一方についての図２への図示は省略した。情報取得装置５０は、図示するように、マイクロストリップアンテナとして構成されたアンテナ５２と、コントローラ６０の指示により所定の波長の電波（例えば、２．４５ＧＨｚ帯域の電波）を用いて信号をアンテナ５２から送受信する送受信回路５４とから構成されている。コントローラ６０は、ＣＰＵ６１を中心とするマイクロプロセッサとして構成されており、処理プログラムや各種データを記憶するＲＯＭ６２と、データを一時的に記憶するＲＡＭ６３と、時間を計時するタイマ６４と、周辺機器との信号の入出力を司る周辺機器入出力部６５と、印刷ヘッド２４にドット形成のためのオン・オフ信号を供給するバッファとしての駆動バッファ６６と、所定周波数で駆動波形を出力する発振器６８と、発振器６８からの出力を印刷ヘッド２４に所定のタイミングで分配する分配出力器６７とを備える。なお、ＣＰＵ６１やＲＯＭ６２，ＲＡＭ６３，タイマ６４，周辺機器入出力部６５は、バス６９により接続されている。周辺機器入出力部６５には、種々の設定を行なう図示しない操作パネル１２からの設定信号やコンピュータ１０からの制御信号，情報取得装置５０の送受信回路５４からの受信データなどが入力されており、周辺機器入出力部６５からは、操作パネル１２への表示信号やキャリッジモータ３４への駆動信号，紙送り機構３６への駆動信号，コンピュータ１０への制御信号，情報取得装置５０の送受信回路５４への送信信号などが出力されている。
【００２５】
図３は、実施例のプリンタ２０で用いられる印刷用紙７０のの構成の概略を示す構成図であり、図４は図３における実施例の印刷用紙７０の右下部のＡ−Ａ断面を拡大して示す拡大断面図である。実施例の印刷用紙７０は、図３に示すように、Ａ４やＢ４などの規格された所定サイズに形成されており、図３および図４に示すように、表面を向けて縦置きにしたときに、左上隅と右下隅の所定位置（例えば、隅を形成する各辺から５ｍｍの位置など）に薄膜状の記憶素子８０が画像印刷用のコーティング剤７４により用紙本体７２に貼り付けられている。記憶素子８０は、厚さが０．２ｍｍ以下好ましくは０．１ｍｍ以下の薄膜状で、一辺が０．５ｍｍ以下好ましくは０．４ｍｍ以下の矩形形状をしたＩＣチップであり、例えば日立製作所製の商品名ミューチップなどを用いることができる。このように、記憶素子８０は小型で薄膜であるから、位置決めや情報を記憶するためのマークに比して、印刷画面に与える影響は小さい。また、記憶素子８０の表面にもコーティング剤が施されているから、記憶素子８０の上にも印刷することができる。
【００２６】
図２に示すように、記憶素子８０は、所定の波長の電波（例えば、２．４５ＧＨｚ帯域の電波）を用いて信号を送受信するアンテナ８２と、受信した電波を整流して電波のエネルギを電力として供給する整流器８３と、受信した信号を解析する信号解析部ＲＦ（Ｒａｄｉｏ　Ｆｒｅｑｕｅｎｃｙ）８４と、所定の識別情報を記憶するメモリセル８５と、アンテナ８２で受信し信号解析部ＲＦ８４で解析された信号が所定の識別情報を送信させるために設定された所定の信号であるときにメモリセル８５に記憶された所定の識別情報を信号解析部ＲＦ８４を介してアンテナ８２から送信する制御部８６とを備える。したがって、記憶素子８０は、所定の識別情報を送信させるために設定された所定の信号を乗せた電波をアンテナ８２で受信することにより、メモリセル８５に記憶された所定の識別情報を信号解析部ＲＦ８４を介してアンテナ８２から送信する。なお、実施例のメモリセル８５は、リードオンリーメモリとして構成されているから、制御部８６はメモリセル８５に対しては、データの読み込みだけで書き込みは行なわない。ここで、メモリセル８５に記憶されている所定の識別情報としては、例えば、プリンタ２０のＩＤやプリンタ２０が設置されている店舗の識別情報などを例として挙げることができる。
【００２７】
次に、こうして構成された実施例のプリンタ２０の動作について説明する。図５は、コントローラ６０により実行される印刷制御処理の一例を示すフローチャートである。この処理は、印刷ジョブの実行が指示されたときに実行される。印刷処理では、まず、紙送り機構３６により印刷用紙７０を印刷可能な位置まで搬送すると共にこの搬送する際に印刷用紙７０に取り付けられた記憶素子８０から所定の識別情報を読み込む処理を実行する（ステップＳ１００，Ｓ１１０）。所定の識別情報の読み込みは、具体的には、周辺機器入出力部６５を介して情報取得装置５０の送受信回路５４に所定の識別情報を送信させるために予め設定された所定の信号を所定の波長の電波に乗せてアンテナ５２から送信し、この送信に伴って記憶素子８０のアンテナ８２から送信される所定の識別情報をアンテナ５２を介して送受信回路５４で受信し、受信した信号を入力することにより行なわれる。
【００２８】
所定の識別情報の読み込み処理で印刷用紙７０の記憶素子８０から所定の識別情報を読み込むことができないときには（ステップＳ１２０）、不適正な印刷用紙であると判断し、搬送した印刷用紙を排出すると共に（ステップＳ１５０）、図示しないプリンタ２０の表示ランプを点灯するなどの印刷拒否の警報を出力して（ステップＳ１６０）、印刷を行なうことなく本ルーチンを終了する。また、所定の識別情報の読み込み処理で印刷用紙７０の記憶素子８０から所定の識別情報を読み込むことができても読み込んだ所定の識別情報が適正な情報でないときには（ステップＳ１２０，Ｓ１３０）、同様に不適正な印刷用紙であると判断し、搬送した印刷用紙を排出すると共に（ステップＳ１５０）、印刷拒否の警報を出力して（ステップＳ１６０）、本ルーチンを終了する。
【００２９】
一方、所定の識別情報の読み込み処理で印刷用紙７０の記憶素子８０から所定の識別情報を読み込むことができ、読み込んだ所定の識別情報が適正な情報であるときには（ステップＳ１２０，Ｓ１３０）、印刷処理を実行して（ステップＳ１４０）、本ルーチンを終了する。
【００３０】
以上説明した実施例のプリンタ２０によれば、印刷用紙７０の記憶素子８０から所定の識別情報を読み込んで所定の識別情報が適正な情報であるときにだけ、印刷処理を実行するから、不適正な印刷用紙による印刷を防止することができる。したがって、例えば、コンビニエンスストアなどの店舗で記憶素子８０に所望の情報を所定の識別情報として記憶させた印刷用紙７０を店舗に設置したプリンタ２０による印刷に対する料金を含ませた価格で販売し、店舗に設置したプリンタ２０に印刷用紙７０の記憶素子８０に所定の識別情報として記憶させた情報を適正な情報として記憶させておけば、プリンタ２０は店舗で販売した印刷用紙７０だけで印刷処理を実行するものとなるから、印刷用紙７０の販売管理を行なうだけでプリンタ２０による印刷に対する課金管理をも行なうことができる。この結果、プリンタ２０による印刷に対する料金を徴収するためのコイン投入機などの機器をプリンタ２０に併設する必要がない。
【００３１】
また、実施例のプリンタ２０によれば、記憶素子８０を備えない印刷用紙を用いてプリンタ２０で印刷しようとしたときなどに生じる印刷用紙７０の記憶素子８０から所定の識別情報を読み込むことができなかったときや所定の識別情報を読み込むことはできたが適正な識別情報ではないときには、印刷用紙を排出して警報を出力するから、適正な印刷用紙７０の使用を促すことができる。
【００３２】
実施例のプリンタ２０では、印刷用紙７０の記憶素子８０から所定の識別情報を読み込むことができると共に所定の識別情報が適正な情報のときにだけ印刷処理を実行するものとしたが、予め定められた所定の識別情報を読み込むことができれば、直ちに印刷処理を実行するものとしてもよい。
【００３３】
実施例のプリンタ２０では、印刷用紙７０の記憶素子８０から所定の識別情報を読み込むことができなかったときや読み込んだ所定の識別情報が適正な情報ではないときには印刷用紙を排出して警報を出力するものとしたが、単に印刷用紙を排出するだけで警報を出力しないものとしてもよい。
【００３４】
実施例のプリンタ２０では、印刷用紙７０の方向を特定するために２個の情報取得装置５０を備えるものとしたが、印刷用紙７０の方向を特定しないものとすれば、１個の情報取得装置５０を備えるものとしても差し支えない。この場合、情報取得装置５０の取り付け位置は、図１中右側の位置としてもよく、図１中左側の位置としてもよく、その間の位置としてもよい。情報取得装置５０の取り付け位置は、アンテナ５２から送信される電波の強さや、記憶素子８０のアンテナ８２から送信される電波の強さ、この電波を受信するアンテナ５２の感度などにより定めることができる。
【００３５】
実施例のプリンタ２０では、左上隅と右下隅の所定位置に所定の識別情報を記憶する記憶素子８０が貼り付けられた印刷用紙７０を用いて印刷するものとしたが、右上隅と左下隅とに記憶素子８０が貼り付けられた印刷用紙を用いて印刷するものとしてもよく、左右上下の四隅に記憶素子８０が貼り付けられた印刷用紙を用いて印刷するものとしてもよく、左右上下の四隅のうちの一つにだけ記憶素子８０を貼り付けられた印刷用紙を用いて印刷するものとしてもよい。また、また、図６に示すように、記憶素子８０が用紙の表面にランダムに貼り付けられた印刷用紙７０Ｂを用いるものとしてもよい。これらの場合にも、情報取得装置５０の取り付け位置は、アンテナ５２から送信される電波の強さや、記憶素子８０のアンテナ８２から送信される電波の強さ、この電波を受信するアンテナ５２の感度などにより定めることができる。
【００３６】
実施例のプリンタ２０では、所定の識別情報を取得する際に情報取得装置５０から所定の識別情報を送信させるために設定された所定の信号を乗せた電波を送信するものとしたが、記憶素子８０を所定の波長の電波を受信したときにメモリセル８５に記憶された所定の識別情報を信号解析部ＲＦ８４を介してアンテナ８２から送信するように構成すれば、情報取得装置５０から単に所定の波長の電波を送信するものとしてもよい。
【００３７】
実施例では、所定の識別情報を読み込む情報取得装置５０をインクジェットプリンタに取り付けるものとしたが、情報取得装置５０をレーザプリンタなどの各種プリンタや複写機などに取り付けるものとしてもよい。
【００３８】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】実施例のプリンタ２０の構成の概略を示す構成図。
【図２】プリンタ２０と記憶素子８０の電気的な機能ブロック図。
【図３】印刷用紙７０の構成の概略を示す構成図。
【図４】図３における印刷用紙７０のＡ−Ａ断面の拡大断面図。
【図５】印刷制御処理の一例を示すフローチャート。
【図６】変形例の印刷用紙７０Ｂの構成の概略を示す構成図。
【符号の説明】
１０　コンピュータ、１２　操作パネル、２０　プリンタ、２２　キャリッジ、２４　印刷ヘッド、２８　ガイド部材、３０　キャリッジ機構、３２　キャリッジベルト、３４　キャリッジモータ、３６　紙送り機構、３８　紙送りローラ、４０　キャッピング装置、４２　ワイピング装置、４６，４８　インクカートリッジ、５０　情報取得装置、５２　アンテナ、５４　送受信回路、６０　コントローラ、６１　ＣＰＵ、６２　ＲＯＭ、６３　ＲＡＭ、６４　タイマ、６５　周辺機器入出力部、６６　駆動バッファ、６７　分配出力器、６８　発振器、６９　バス、７０　印刷用紙、７２　用紙本体、７４　コーティング剤、８０　記憶素子、８２　アンテナ、８３　整流器、８４　信号解析部ＲＦ、８５　メモリセル、８６　制御部。
【図１】
2004142188.tif 000003
【図２】
2004142188.tif 000004
【図３】
2004142188.tif 000005
【図４】
2004142188.tif 000006
【図５】
2004142188.tif 000007
【図６】
2004142188.tif 000008